【事件の表示】
　上記当事者間の登録第５８１９０６８号商標の商標登録無効審判事件について，次のとおり審決する。
【結　論】
　本件審判の請求は，成り立たない。
　審判費用は，請求人の負担とする。
【理　由】
第１　本件商標
　本件登録第５８１９０６８号商標（以下「本件商標」という。）は，「宇都宮いさみや餃子」の文字を標準文字で表してなり，平成２７年４月２８日に登録出願され，第３０類「栃木県宇都宮市産のぎょうざ」を指定商品として，同年１２月４日に登録査定，同２８年１月１５日に設定登録されたものである。
第２　引用商標
　請求人が，本件商標の登録の無効の理由において，商標法第４条第１項第１１号及び同項第１５号に該当するとして引用する登録第４５４６７０６号商標（以下「引用商標」という。）は，別掲のとおり，「宇都宮餃子」の文字を縦書きしてなり，平成１２年５月１７日に登録出願された商願２０００−５３５６５に係る同法第１１条第２項の規定による商標登録出願として，同１３年８月２日に団体商標登録出願，第３０類「ぎょうざ」及び第４２類「ぎょうざの提供」を指定商品及び指定役務として，同法第３条第２項の適用を受けて，同１４年２月２２日に設定登録されたものであり，その商標権は現に有効に存続しているものである。
第３　請求人の主張
　請求人は，本件商標の登録を無効とする，審判費用は被請求人の負担とする，との審決を求め，その理由を要旨次のように述べ，証拠方法として甲第１号証ないし甲第２３号証（枝番号を含む。）を提出した。
　１　請求の理由
　本件商標は，商標法第４条第１項第１１号及び同項第１５号に該当するものであるから，同法第４６条第１項の規定により，その登録は無効とすべきである。
　２　引用商標の著名性
（１）「ぎょうざ」による宇都宮の街おこしと「宇都宮餃子」の著名性獲得
　引用商標は，請求人の前身である「宇都宮餃子会」が発足した平成５年７月頃から請求人及びその組合員の業務に係る「ぎょうざ」及び「ぎょうざの提供」に係る標章として使用されてきたものであり，第３０類「ぎょうざ」及び第４２類「ぎょうざの提供」について使用するものとして取引者及び需要者の間に広く認識されているとの判断の下，商標法第３条第２項の適用を受けて，商標登録を受けるに至ったものである。
　宇都宮市が餃子による町おこしの取り組みを開始したのは，平成２年頃であり（甲３の１，２），同５年７月に「宇都宮餃子会」が設立されると，この時点で，餃子による町おこしの推進役が行政から事業団体へ委譲された。もともと，餃子は，宇都宮に地域的に根付いていた食材であり，また，宇都宮餃子会の設立当初，加盟店は３８店舗と決して小規模なものではなかった（甲３の１，２）が，餃子のまちとしての宇都宮の知名度は必ずしも大きなものではなかった。
　こうした状況にあって，餃子による町おこしが大きく前進することになったのは，平成５年１０月に，テレビ東京が制作，系列局による全国ネットで放送した「おまかせ！山田商会」（甲３の３）の番組中で，「宇都宮餃子大作戦」と題する企画が７回シリーズで取り上げられ放送されたことによる（平成５年１０月〜同６年２月放送）（甲３の１，２）。同番組は，テレビ東京からの働きかけに応えて，宇都宮餃子会と宇都宮観光協会の協力により実現できたものであり，同シリーズ放送終了後の平成６年１０月２４日には，同番組の番組収録を兼ねた大規模なイベントが宇都宮市内の公園で開催された。テレビ番組とのタイアップは，「宇都宮餃子」の知名度を大きく前進させる上において，極めて大きな成果をもたらすものであった。かくして，関東圏を中心に，「餃子のまち」としての宇都宮の知名度が向上してくると，宇都宮餃子会は，直営店の「来らっせ」の運営，「宇都宮餃子祭り」等のイベント運営，宇都宮観光コンベンション協会及び宇都宮商工会議所との協同による「宇都宮餃子マップ」発行等の広報活動，組合員の研修及び福利厚生事業等に注力し，餃子による町おこしをさらに推進した（甲３の１，２）。
　さらに，請求人は，引用商標の普通名称化の防止や需要者の信用維持のために引用商標の管理を徹底している。例えば，平成１８年には，「宇都宮餃子」の商標を無断使用していた第三者に対し訴訟を提起している（甲３の５）。上記を一例として，請求人は「宇都宮餃子」のブランドの管理にも積極的な姿勢を示している。
　このように，「宇都宮餃子」は，請求人による熱心な宣伝・広告活動やブランド管理努力等が奏功して，全国規模で刊行されている新聞，雑誌等で頻繁に取り上げられ，遅くとも本件商標の登録出願時及び登録査定時においては，全国の需要者及び取引者の間で広く認識され，周知著名なものとなっていた（甲４〜甲１２）。
　そして，引用商標が登録された後に，「宇都宮餃子」に関する新聞雑誌等記事が複数存在する（甲４，甲５）。
　また，請求人が宇都宮観光コンベンション協会及び宇都宮商工会議所と協同して，観光客誘致やリピーターの獲得を目的に発行している「宇都宮餃子」公式ガイドマップ（オフィシャルＭＡＰ）に関し，その発行部数は，２００８年６月版（「’０８〜’０９オフィシャルＭＡＰ」，甲６の１）及び２０１０年６月版（「’１０〜’１１オフィシャルＭＡＰ」，甲６の２）が各２５万部であったのに対し，２０１２年７月版（「’１２〜’１３オフィシャルＭＡＰ」，甲６の３）は４０万部であり，近年益々需要が増している。書籍版では，地元の下野新聞社が，請求人の編集による「宇都宮餃子　公式ガイドブック」を発行している（甲７の１，２）。ガイドブックに関しては，地元の民間会社が独自に発行するものに「宇都宮餃子」が掲載されることがあるのは当然であるが（甲８の１），栃木県も観光客誘致を目指して平成２５年６月に無料配布を開始した「栃木県ご当地グルメガイドブック」の中で，「宇都宮餃子」を紹介している（甲８の２）。
　さらに，「宇都宮餃子」は，旅行雑誌などでも紹介されることが多く，最近も「宇都宮餃子」の特集記事や紹介記事が掲載されている（甲９）。
　その他，「宇都宮餃子」は，全国各地の地元特産品や郷土料理の成功例として引き合いに出されることも多い（甲１０〜甲１２）。
（２）小括
　このように，「餃子といえば宇都宮」といえるほど，「宇都宮餃子」は，全国的に浸透し広く知られたものとなっているのである。
　すなわち，「宇都宮餃子」は，請求人及びその組合員の業務に係る商標として，全国的な周知性を獲得している著名商標である。
　３　商標法第４条第１項第１１号該当性について
（１）指定商品の類否
　本件商標の指定商品は，引用商標の指定商品と同一又は類似するものである。
（２）本件商標と引用商標の類否
　本件商標は，「宇都宮いさみや餃子」の文字を標準文字で表してなるものであるところ，かかる構成の本件商標にあって，まず看者の注意をひくのは，先頭に書かれた「宇都宮」の漢字である。また，これに続く「いさみや餃子」の文字からは「イサミヤギョウザ」の称呼が生じるが，「餃子」の文字が含まれており，これが本件商標の指定商品（「栃木県宇都宮市産のぎょうざ」）の普通名称を表していることは明らかである。加えて，「栃木県宇都宮市産のぎょうざ」とは，すなわち全国的な周知著名性を獲得した「宇都宮餃子」にほかならないから，本件商標からは「いさみやという商品名ないし店舗で製造販売されている全国的に有名な宇都宮餃子」といった観念が生じる。そして，引用商標は請求人及びその組合員の業務に係る商品及び役務を表示するものとして需要者の間に広く認識されている団体商標であるから，引用商標と同一の文字構成である「宇都宮」，「餃子」の文字を構成中に含む本件商標は，これに接する需要者に対し，「宇都宮」，「餃子」の文字部分が商品の出所識別標識として強く支配的な印象を与え，請求人の組合員が使用する商標であることを容易に想起させる点において，引用商標と同一の観念が生じるものといえる。
　また，本件商標は，「いさみや」の文字が「宇都宮」，「餃子」の漢字と異なる種類の平仮名で表されていることから，視覚上，「宇都宮餃子」と「いさみや」に分離して視認されやすく，「宇都宮」，「餃子」の部分に着目しやすい外観構成であるため，これに応じて「ウツノミヤイサミヤギョウザ」の全体の称呼に加えて，引用商標と同一の「ウツノミヤギョウザ」の称呼が生じる。
　さらに，上記２のとおり，引用商標は，全国的な周知著名性が認められ，商標法第３条第２項の適用を受けて登録された著名商標であるから，本件商標は特許庁の商標審査基準が定める「指定商品又は指定役務について需要者の間に広く認識された他人の登録商標（請求人注：「宇都宮餃子」）と他の文字又は図形等（請求人注：「いさみや」）と結合した商標」に該当することは明らかである。このため，本件商標はその外観構成がまとまりよく一体に表されているもの又は観念上の繋がりがあるものか否かにかかわらず，全国的な周知著名性を獲得した引用商標の「宇都宮餃子」に類似するものといわなければならない。
　したがって，本件商標は，引用商標とは外観，称呼，観念のいずれの要素についても互いに類似するものであるから，商標全体として類似するものであることは明らかである。
（３）特許庁の審査実務及び審決並びに過去の裁判例
　過去の審決及び判決には，商品の原材料，普通名称やローマ字の２字等からなる商標であっても，それが周知著名性を獲得しているものである場合には，かかる文字部分にも自他商品の識別機能があり，当該文字部分と同一又は類似する商標は互いに類似すると判断しているものがある（甲１６，甲２２の１）。かかる判断は，周知著名な引用商標と共通する「宇都宮」及び「餃子」の漢字が分離抽出して認識されやすい本件商標についても当てはまり，当該「宇都宮」及び「餃子」の文字は請求人及びその組合員が製造販売する「宇都宮餃子」との関連性を容易に想起させるものである。
　以上より，本件商標は，請求人及びその構成員に係る全国的に周知著名な「宇都宮餃子」を構成中に含むものであるから，引用商標に類似するものである。
（４）小括
　以上により，本件商標は，引用商標に類似する商標であり，また，その指定商品は引用商標の指定商品に同一又は類似するものであるから，本件商標は商標法第４条第１項第１１号に該当する。
　４　商標法第４条第１項第１５号該当性について
（１）引用商標の周知著名性
　上記２のとおり，引用商標は，遅くとも請求人の前身である宇都宮餃子会が発足した平成５年７月頃から，請求人及びその組合員の業務に係る「ぎょうざ」及び「ぎょうざの提供」に係る標章として使用された結果，本件商標の登録出願日である同２７年４月２８日には，全国的な周知著名性を獲得していたものであり，その周知著名性は現在でも継続しているのである。
（２）本件商標と引用商標の類似性の程度
　上記３（２）のとおり，本件商標は，「宇都宮いさみや餃子」の文字を標準文字で表してなるものであるのに対し，引用商標は「宇都宮餃子」の漢字を縦書きしたものであり，外観，称呼，観念のいずれの要素についても互いに類似するものであるから，商標全体として互いに類似するものである。
　本件商標は，周知著名な引用商標と同一の「宇都宮餃子」の漢字を含んでおり，これに接する需要者に対し，「宇都宮」，「餃子」の文字部分が商品の出所識別標識として強く支配的な印象を与えるものであるから，「宇都宮餃子」の漢字を共通にするものとして，引用商標と外観上の類似性が高いものであり，これに応じて，引用商標と同一の「ウツノミヤギョウザ」の称呼が生じるものであって，請求人の組合員が使用する商標であることを容易に想起させる点において，引用商標と同一の観念が生じるものといえるため，引用商標と類似するものである。
　以上より，本件商標は，請求人及びその構成員に係る周知著名な「宇都宮餃子」との関連性を容易に想起させるものといえるから，本件商標と周知著名な引用商標との類似性は極めて高いものである。
（３）本件商標の指定商品等と他人の業務に係る商品等との関連性の程度，取引者・需要者の共通性等
　請求人が著名性を獲得した「ぎょうざ」及び「ぎょうざの提供」は，本件商標の指定商品と，同一又は類似するものであることは明らかであるから，両商標に係る指定商品は需要者の範囲が当然に一致する。
　一方，本件商標の指定商品は，日常的に費消される商品であって，必ずしも商標について詳細な知識を持たない一般消費者を主たる需要者とするものである。こうした一般消費者は商品の購入や役務の提供を受けるに際して，メーカー名などについて常に注意深く確認するとは限らず，小売店の店頭などで短時間のうちに購入商品を決定するということも少なくないことからすれば，商品購入時に払う注意力は高いものではなく（東京高等裁判所平成１７年４月１３日判決（平成１７年（行ケ）第１０２３０号，甲１８），商標構成中の覚えやすく親しみやすい印象及び過去に購買した際の記憶に基づいてその商品又は役務を選択ないし購買すると考えられる。
　さらに，「宇都宮餃子」が請求人及びその構成員の業務に係る周知著名な商標であることからすれば，需要者において普通に払われる注意力としては，本件商標に接した需要者は，「宇都宮餃子」の文字に着目し，著名な「宇都宮餃子」を想起連想して，当該商品が請求人及びその組合員の業務に係るものと認識するであろうことは容易に想像されるところである。
　以上より，本件商標に係る指定商品は，引用商標に係る指定商品とは，一般的に同一又は類似する関係にあるのみならず，具体的な取引の実情に照らしても関連性が強いものであるから，本件商標と引用商標の取引者・需要者の共通性は極めて高いものである。
（４）その他取引の実情
　引用商標は，請求人及びその加盟店（組合員）のみが使用することができる団体商標であり，その使用条件が厳格に定められているものである。請求人はその加入基準や商標使用基準等（甲１９，甲２０）を定め，組合へ加入できる者を，原則として宇都宮で餃子を製造・販売する者に限定した上（甲１９の１，甲１３の２（審決注：「甲１９の２」の誤記と認める。），請求人組合への加入手続を厳格に定めている（甲２０の１〜３）。さらに，需要者の誤認等を防ぐために，組合員に対し，自らが宇都宮餃子を代表するかのような表現や，元祖・本家・本舗などの表示を禁止し（甲２０の４，甲２１），そのことについて誓約書を提出させている（甲２０の５，６）。引用商標はこうした請求人の活動や品質管理等が団体商標の登録要件として審査において考慮された結果，登録が認められたものである。
　引用商標は，地域団体商標制度が導入される前に出願し登録された団体商標に係る商標権であるが，商標法第３条第２項における，全国的な範囲の需要者に高い浸透度をもって認識されていることという，地域団体商標よりも厳しい要件を満たしていると認められたものであるから，地域団体商標制度の目的や，地域団体商標として登録された商標と同一又は類似の文字部分を含む後願の他人の商標との類否判断手法は引用商標にも当然に妥当する。本件商標を使用した「栃木県宇都宮市産の餃子」に接した取引者及び需要者が，その商品があたかも請求人又はその組合員の業務に係る商品，又は請求人から使用許諾を受けた者による商品であるかのように考えたとしても，何ら不思議なところはない。
　そうとすれば，本件商標の登録を認め，その指定商品についての自由な使用を認めることは，商品の出所について誤認混同を生じさせるおそれが高いといわざるを得ず，また，団体の構成員の相互の協力により当該団体商標の信用力を高め，特産品作り等の団体の目的達成にも資するという団体商標制度の目的を没却させるものというべきである。
（５）特許庁の審査実務並びに周知著名商標との混同可能性を認めた過去の判決及び特許庁の審決
　本件商標と同様に，「宇都宮」と「餃子」の文字の間に別の文字を配し，構成各文字を同書・同大・等間隔で一体不可分に表した商標や，「宇都宮餃子」の文字を含む構成からなり「菓子及びパン」を指定商品とする商標が，商標法第４条第１項第１５号に該当するとの判断がされている（甲２２）ことからすれば，引用商標は，その指定商品及び指定役務に類似しない商品及び役務に対してさえも，出所の混同を生じさせる程，全国的に高い周知著名性を獲得しているものと，特許庁の登録実務において認められている。
　一方，周知著名性を獲得した商標を一部に含む後願に係る商標は，当該周知著名な商標が一般的には自他商品識別力が弱いものであったとしても，出所の混同を生じるおそれがあることを明確に示す判決及び審決がある（甲２３）。
　こうした例よりすれば，引用商標は，その指定商品及び指定役務に類似しない商品に対しても出所の混同を生じさせる程，全国的に高い周知著名性を獲得していることをうかがい知ることができるから，「ぎょうざ」又は「ぎょうざの提供」と同一又は類似の指定商品について使用される本件商標は，引用商標との出所混同を生じるおそれが高いものであることは明らかである。
（６）小括
　以上のとおり，全国的に周知著名な引用商標と同一の文字構成であり，商品の出所識別標識として強く支配的な印象を与える「宇都宮餃子」の文字を構成中に含む本件商標を，その指定商品について使用した場合には，これに接する需要者・取引者は，その商品が請求人又はその組合員の業務に係る商品や，請求人の許諾を受けて製造販売・提供されている商品であるかのごとく，その商品の出所について誤認・混同するおそれが極めて高いといわざるを得ない。
　したがって，本件商標は，商標法第４条第１項第１５号に該当する。
第４　被請求人の答弁
　被請求人は，結論同旨の審決を求める，と答弁し，その理由を要旨次のように述べた。
　１　「宇都宮餃子」の著名性及び効力について
　請求人は，多数の証拠に基づき，引用商標並びに「宇都宮」と「餃子」の表記が共に含まれる商標についても著名であると主張している。
　しかしながら，これら証拠によれば「宇都宮餃子」と一連一体で表記された商標について著名であることを証明するのみであって，「宇都宮」と「餃子」の表記が共に含まれる商標の全てについて著名であることを証明するものではない。
　引用商標は，著名性を基に商標法第３条第２項の例外規定により登録されたものであり，通常登録し得ない商標について例外的に認められた登録である以上，その権利範囲は厳格に解釈されてしかるべきである。すなわち，引用商標は一連一体で「宇都宮餃子」と表記されてなる商標であって，同じく一連一体で「宇都宮」と「餃子」の表記が共に含まれる商標の全てに対して権利の効力が及ぶものと解すべきではない。
　しかも，商標法第２６条第１項第２号によれば，指定商品若しくはこれに類似する商品の普通名称，産地，販売地等を普通に用いられる方法で表示する商標について，商標権の効力が及ばない旨が規定されており，かつ，当該条項中には，同法第３条第２項により登録された商標について除外する旨は定められていないことからして，被請求人の上記主張は容認されるものである。
　それにもかかわらず，一連一体でない「宇都宮」と「餃子」の表記が共に含まれる全ての商標に対し，引用商標の著名性を傘に禁止権の効力が及ぶとする主張はあまりに独善的かつ支配的であって，到底承服することはできない。
　２　商標法第４条第１号第１１号該当性について
　本件商標は，「宇都宮いさみや餃子」の文字を標準文字で表記してなるもので，「宇都宮を産地・販売地とする『いさみや』というブランド名の餃子」とのイメージが看取され，「ウツノミヤイサミヤギョウザ」あるいは「イサミヤギョウザ」あるいは「イサミヤ」との称呼が生ずるものである。
　これに対し，引用商標は，「宇都宮餃子」の文字を隷書体で表記してなるもので，「宇都宮を産地・販売地とする餃子」とのイメージが看取され「ウツノミヤギョウザ」との称呼のみ生ずる。
　したがって，本件商標と引用商標とは，外観・称呼・観念のいずれにおいても，互いに紛れるおそれのない非類似の商標というべきものであるから，本件商標は，商標法第４条第１項第１１号に該当しない。
　３　商標法第４条第１号第１５号該当性について
　上記２のとおり，本件商標と引用商標とは非類似であることから，本件商標に接する需要者をして引用商標を想起又は連想することはない。したがって，本件商標は，商標法第４条第１項第１５号に該当しない。
　４　その他
（１）過去の審判例
　過去の異議申立・審判事例（異議２０１０−９００３１３，無効２０２０−８９００５０，無効２０２０−８９００５１）は，「宇都宮」と「餃子」の表記が共に含まれる商標と引用商標との類似性及び混同性が争われ，いずれも互いに非類似の商標であり，また混同を生ずるおそれがある商標ということはできないとし判断された事例である。
（２）請求人による過去の出願
　請求人が引用商標とは別に行った，「宇都宮餃子」と標準文字で表した商標についての登録出願は，いわゆる品質等表示を理由に拒絶されている。
　仮に，引用商標の著名性に関する請求人の主張が正しかった場合，標準文字であるとはいえ，当該出願は拒絶されずに登録されるべきであったにも関わらず，品質等表示を理由に拒絶されている事実からしても，単に「宇都宮」や「餃子」の文字を普通に用いられる方法で表示する商標に対し，引用商標に係る商標権が及ばないことはもちろんのこと，一連一体で表記した「宇都宮餃子」との文字であっても，それを標準文字など普通に用いられる方法で表示する場合には引用商標に係る商標権が及ばないことは明らかである。
第５　当審の判断
　請求人が本件審判を請求するにつき，利害関係について争いがないから，本案について判断する。
　１　引用商標の周知著名性について
（１）引用商標の「宇都宮餃子」は，商品「ぎょうざ」及び役務「ぎょうざの提供」について使用をされた結果，請求人及びその構成員（以下「請求人ら」という。）の業務に係る商品及び役務を表示するものとして需要者の間に広く認識されているものであると認定され，商標法第３条第２項の適用を受けて登録された団体商標である。
（２）請求人らの業務に係る商品及び役務について引用商標を使用した商品及び役務は，引用商標の登録査定後，平成２５年６月２１日までの間，全国紙をはじめとする各種新聞，雑誌等で多数紹介されている（甲３〜甲１２）。
（３）上記（１）及び（２）からすれば，引用商標は，本件商標の登録出願日（平成２７年４月２８日）前から，登録査定日（同年１２月４日）はもとより現在まで継続して，請求人らの業務に係る商品及び役務を表示するものとして需要者の間に広く認識されているものといえる。
　２　本件商標と引用商標との類否
（１）本件商標は，上記第１のとおり，「宇都宮いさみや餃子」の文字からなるところ，当該構成は，同じ書体，同じ大きさ，等間隔で外観上まとまりよく一体的に表されたものと認識されるものであり，その構成文字全体から生ずる「ウツノミヤイサミヤギョウザ」の称呼は，やや冗長であるとしても無理なく一連に称呼し得るものである。
　そうすると，本件商標は，その構成及び称呼からすれば，文字部分のいずれかが取引者，需要者に対し商品又は役務の出所識別標識として強く支配的な印象を与えるものではなく，むしろ，その構成文字全体をもって，「ウツノミヤイサミヤギョウザ」の称呼を生じ，特定の観念を生じない一体不可分の造語として認識，把握されるといえるものである。
　したがって，本件商標は，その構成文字全体に相応して「ウツノミヤイサミヤギョウザ」の称呼が生じ，特定の観念を生じないものである。
（２）引用商標は，別掲のとおり，「宇都宮餃子」の文字を縦書きしてなるところ，その構成は，「宇都宮」の文字と「餃子」の文字を結合したものであって，構成上顕著な特徴を有するものではなく，本来的には，自他商品及び自他役務の識別標識としての機能を果たし得なかった標章であったが，使用をされた結果，商品及び役務の区分第３０類「ぎょうざ」及び第４２類「ぎょうざの提供」について，自他商品及び自他役務の識別力を有するに至った商標であるから，引用商標の構成そのものが自他商品及び自他役務の識別標識としての機能を発揮するというべきものである。
　したがって，引用商標は，その構成文字に相応して，「ウツノミヤギョウザ」の一連の称呼のみを生ずるものであって，「宇都宮餃子」の観念を生ずるものである。
（３）本件商標と引用商標とを比較するに，まず，外観においては，「いさみや」の文字の有無に加え，書体が異なること，本件商標が横書きであるのに対し引用商標は縦書きで表されているという明らかな差異があることから，外観上，判然と区別し得るものである。
　そして，称呼においては，本件商標より生ずる「ウツノミヤイサミヤギョウザ」の称呼と引用商標より生ずる「ウツノミヤギョウザ」の称呼は，中間部における「イサミヤ」の音の有無という明確な差異を有するものであるから，それぞれを称呼するときは，明瞭に聴別し得るものである。
　また，本件商標からは，特定の観念を生じないのに対して，引用商標からは「宇都宮餃子」の観念が生じるものであるから，両商標は，観念上相紛れるおそれのないものである。
（４）したがって，本件商標と引用商標とは，外観，称呼及び観念のいずれにおいても相紛れるおそれのない非類似の商標であって，別異のものと判断するのが相当である。
　３　商標法第４条第１項第１１号該当性について
　本件商標と引用商標とは，上記２（４）のとおり，非類似の商標であるから，両商標の指定商品が同一又は類似するものであるとしても，本件商標は，商標法第４条第１項第１１号に該当しない。
　４　商標法第４条第１項第１５号該当性について
　上記１（３）のとおり，引用商標が請求人らの業務に係る商品「ぎょうざ」及び役務「ぎょうざの提供」について使用され，本件商標の登録出願日及び登録査定日の時点において，需要者の間に広く認識されていた商標であるとしても，本件商標と引用商標とは，上記２（４）のとおり，非類似の商標であって，別異の商標というべきものである。
　してみれば，本件商標は，商標権者がこれをその指定商品について使用しても，取引者，需要者に引用商標を連想又は想起させることはなく，その商品が請求人あるいは同人と経済的若しくは組織的に何らかの関係を有する者の業務に係るものであるかのごとく，その商品の出所について混同を生ずるおそれはないものである。
　その他，本件商標が出所の混同を生じさせるおそれがあるというべき事情は見いだせない。
　したがって，本件商標は，商標法第４条第１項第１５号に該当しない。
　５　まとめ
　以上のとおり，本件商標の登録は，商標法第４条第１項第１１号及び同項第１５号のいずれにも違反してされたものではないから，同法第４６条第１項により，無効とすることはできない。
　よって，結論のとおり審決する。